(57)【特許請求の範囲】
【請求項１】
電源アダプタ装置であって、
電源入力インターフェースと、通信プロトコルチップと、電圧変換チップと、電源出力インターフェースとを備え、
前記通信プロトコルチップの第１検出端が前記電源入力インターフェースに接続され、前記通信プロトコルチップの第２検出端が前記電源出力インターフェースに接続され、前記通信プロトコルチップの制御端が前記電圧変換チップに接続され、
前記電圧変換チップの入力端が前記電源入力インターフェースに接続され、前記電圧変換チップの出力端が前記電源出力インターフェースに接続され、
前記通信プロトコルチップは、前記第１検出端により前記電源入力インターフェースから入力された入力電圧値を取得し、前記第２検出端において、ターゲットデバイスが要求するターゲット電圧値を電力伝送ＰＤプロトコルによって取得し、前記ターゲット電圧値および前記入力電圧値に基づいて電圧調整情報を確定するように構成され、
前記電圧変換チップは、前記電源出力インターフェースの電圧値が前記ターゲット電圧値に一致するように、前記電圧調整情報に基づいて電圧変換を行うように構成され、
前記通信プロトコルチップは、更に、前記ターゲットデバイスが要求するターゲット電流値を取得し、所定の関係テーブルに基づき、前記ターゲット電圧値に対応する第１電流値を取得し、前記ターゲット電流値が前記第１電流値よりも大きければ、前記第１電流値を、前記ターゲットデバイスが要求する電流値とするように構成される
電源アダプタ装置。
【請求項２】
入力端が外部電源に接続され、出力端が前記電源入力インターフェースに接続される直流アダプタを更に備える、
請求項１に記載の電源アダプタ装置。
【請求項３】
前記電源入力インターフェースおよび前記電源出力インターフェースのうちの少なくとも１つは、オスインターフェースまたはメスインターフェースのいずれかである、
請求項１に記載の電源アダプタ装置。
【請求項４】
前記電源出力インターフェースは、Ｃ型ユニバーサルシリアルバスＵＳＢのＴＹＰＥ−Ｃインターフェースである、
請求項１に記載の電源アダプタ装置。
【請求項５】
電源アダプタ装置の制御方法であって、
前記電源アダプタ装置は、電源入力インターフェースと、通信プロトコルチップと、電圧変換チップと、電源出力インターフェースとを備え、前記通信プロトコルチップの第１検出端が前記電源入力インターフェースに接続され、前記通信プロトコルチップの第２検出端が前記電源出力インターフェースに接続され、前記通信プロトコルチップの制御端が前記電圧変換チップに接続され、前記電圧変換チップの入力端が前記電源入力インターフェースに接続され、前記電圧変換チップの出力端が前記電源出力インターフェースに接続され、
前記制御方法は、
前記通信プロトコルチップが前記第１検出端により入力電圧値を取得することと、
前記通信プロトコルチップが、前記第２検出端において、ターゲットデバイスが要求するターゲット電圧値を電力伝送ＰＤプロトコルによって取得することと、
前記ターゲットデバイスが要求するターゲット電流値を取得することと、
所定の関係テーブルに基づき、前記ターゲット電圧値に対応する第１電流値を取得することと、
前記ターゲット電流値が前記第１電流値よりも大きければ、前記第１電流値を、前記ターゲットデバイスが要求する電流値とすることと、
前記通信プロトコルチップが前記ターゲット電圧値および前記入力電圧値に基づいて電圧調整情報を確定することと、
前記電圧変換チップが、前記電源出力インターフェースの電圧値が前記ターゲット電圧値に一致するように、前記電圧調整情報に基づいて電圧変換を行うことと、を含む、
電源アダプタ装置の制御方法。
【請求項６】
前記通信プロトコルチップが、前記第２検出端により前記ターゲットデバイスの接続状態を検出することと、
前記第２検出端により前記ターゲットデバイスの接続の存在が検出されると、前記電源出力インターフェースのリアルタイム出力電圧値を監視することと、
前記リアルタイム出力電圧値の電圧降下と前記ターゲット電圧値との比が所定の比の閾値を超える場合、現在の出力電流値を取得して電源線をオフにすることと、
前記現在の出力電流値を前記所定の関係テーブルに記憶し、前記ターゲット電圧値と新しいキー値ペアを形成することと、
前記キー値ペアを前記ターゲットデバイスに送信して前記電源線をオンにすることと、を更に含む、
請求項５に記載の方法。
【請求項７】
前記電圧変換チップが前記電圧調整情報に基づいて電圧変換を行うことは、
前記電圧変換チップが前記電圧変換チップの内部回路の抵抗値を調整すること、または、
所定の通信プロトコルにより、前記電圧変換チップの内部回路を調整すること、を含む、
請求項５に記載の電源アダプタ装置の制御方法。
【請求項８】
電源アダプタ装置の制御装置であって、
前記電源アダプタ装置の制御装置は、入力電圧取得モジュールと、ターゲット電圧取得モジュールと、電圧調整情報確定モジュールと、電圧調整情報送信モジュールと、第１電流確定モジュールとを備え、
前記ターゲット電圧取得モジュールが前記入力電圧取得モジュールと接続され、前記電圧調整情報確定モジュールが前記電圧調整情報送信モジュールと前記第１電流確定モジュールと接続され、
前記入力電圧取得モジュールは、第１検出端により入力電圧を取得するように構成され、
前記ターゲット電圧取得モジュールは、第２検出端により、ターゲットデバイスが要求するターゲット電圧値を取得するように構成され、
前記電圧調整情報確定モジュールは、前記ターゲット電圧取得モジュールにより取得された前記ターゲット電圧値、および前記入力電圧取得モジュールにより取得された前記入力電圧に基づき、電圧調整情報を確定するように構成され、
前記電圧調整情報送信モジュールは、前記電源アダプタ装置の電源出力インターフェースの電圧が前記ターゲット電圧値に一致するように前記電源アダプタ装置の電圧変換チップが前記電圧調整情報に基づいて電圧変換を行うために、前記電圧調整情報を前記電圧変換チップに送信するように構成され、
前記第１電流確定モジュールは、前記ターゲット電圧取得モジュールが前記第２検出端により前記ターゲット電圧値を取得した後、前記ターゲットデバイスが要求するターゲット電流値を取得し、所定の関係テーブルに基づき、前記ターゲット電圧値に対応する第１電流値を取得し、前記ターゲット電流値が前記第１電流値よりも大きければ、前記第１電流値を、前記ターゲットデバイスが要求する電流値とするように構成される、
電源アダプタ装置の制御装置。
【請求項９】
請求項５から７のいずれか１項に記載の方法を実行するためのコンピュータ実行可能命令が記憶される、コンピュータ可読記憶媒体。
【発明の詳細な説明】
【技術分野】
【０００１】
本開示は、充電器の技術分野に関し、例えば、電源アダプタ装置、制御方法および制御装置に関する。
【背景技術】
【０００２】
ＴＹＰＥ−Ｃ型のユニバーサルシリアルバス（Ｕｎｉｖｅｒｓａｌ  Ｓｅｒｉａｌ  Ｂｕｓ、ＵＳＢ）インターフェースの普及に伴い、ＵＳＢ電力伝送（Ｐｏｗｅｒ  Ｄｅｌｉｖｅｒｙ、ＰＤ）通信プロトコルに基づくＴＹＰＥ−Ｃ型のＵＳＢインターフェースのアダプタは、ますます多く使用されている。
【０００３】
従来のインターフェースのアダプタは、ＴＹＰＥ−Ｃ型のＵＳＢインターフェースとある時間で共存し続けている。ユーザは、元々使っていたアダプタを捨てない場合、ＴＹＰＥ−Ｃ型のＵＳＢインターフェースの複数種の電子機器の充電要求に適用するために、従来の電源アダプタをＵＳＢのＰＤ通信プロトコルに基づくアダプタに変換する必要がある。
【０００４】
しかし、一般的な従来の電源アダプタは、ＵＳＢのＰＤ通信プロトコルに基づくアダプタに直接に変換することができないため、ソースの浪費が生じる。
【発明の概要】
【発明が解決しようとする課題】
【０００５】
本開示は、従来の電源アダプタがＵＳＢのＰＤ通信プロトコルに基づくＴＹＰＥ−Ｃ型のＵＳＢインターフェースの複数種の電子機器に適用できるようにし、電源アダプタの利用率を向上させる電源アダプタ装置、制御方法および制御装置を提供する。
【課題を解決するための手段】
【０００６】
電源入力インターフェースと、通信プロトコルチップと、電圧変換チップと、電源出力インターフェースとを備え、
前記通信プロトコルチップの第１検出端が前記電源入力インターフェースに接続され、前記通信プロトコルチップの第２検出端が前記電源出力インターフェースに接続され、前記通信プロトコルチップの制御端が前記電圧変換チップに接続され、
前記電圧変換チップの入力端が前記電源入力インターフェースに接続され、前記電圧変換チップの出力端が前記電源出力インターフェースに接続される、電源アダプタ装置。
【０００７】
通信プロトコルチップが第１検出端により入力電圧を取得することと、
前記通信プロトコルチップが第２検出端によりターゲット電圧を取得することと、
前記通信プロトコルチップが前記ターゲット電圧および前記入力電圧に基づいて電圧調整情報を確定することと、
電圧変換チップが、電源出力インターフェースの電圧が前記ターゲット電圧に一致するように、前記電圧調整情報に基づいて電圧変換を行うことと、
を含む電源アダプタ装置の制御方法。
【０００８】
第１検出端により入力電圧を取得するように構成される入力電圧取得モジュールと、
第２検出端によりターゲット電圧を取得するように構成されるターゲット電圧取得モジュールと、
前記ターゲット電圧取得モジュールにより取得された前記ターゲット電圧、および前記入力電圧取得モジュールにより取得された前記入力電圧に基づき、電圧調整情報を確定するように構成される電圧調整情報確定モジュールと、
前記電源出力インターフェースの電圧が前記ターゲット電圧に一致するように前記電圧変換チップが前記電圧調整情報に基づいて電圧変換を行うために、前記電圧調整情報を電圧変換チップに送信するように構成される電圧調整情報送信モジュールと、を備える、電源アダプタ装置の制御装置。
【０００９】
上記電源アダプタ装置の制御方法を実行するためのコンピュータ実行可能命令が記憶されるコンピュータ可読記憶媒体。
【００１０】
１つまたは複数のプロセッサと、メモリと、通信プロトコルチップと、電圧変換チップと、メモリに記憶され、１つまたは複数のプロセッサによって実行されているとき、上記電源アダプタ装置の制御方法を実行する１つまたは複数のプログラムとを含む、制御デバイス。
【００１１】
非一時的コンピュータ可読記憶媒体に記憶されたコンピュータプログラムを含み、前記コンピュータプログラムがプログラム命令を含み、前記プログラム命令がコンピュータにより実行されると、前記コンピュータに上記いずれか１つの電源アダプタ装置の制御方法を実行させるコンピュータプログラム製品。
【発明の効果】
【００１２】
本実施例に係る電源アダプタ装置、制御方法および制御装置は、電源アダプタ装置の接続に基づき、関連技術における従来の直流アダプタ（従来の直流電源アダプタ）がＴＹＰＥ−Ｃ型のＵＳＢインターフェースの電子機器に適用ができないことによるソースの浪費の問題を解決し、同一の従来の直流アダプタで複数種の電子機器の充電タスクをこなすことができ、従来の直流アダプタの利用率を向上させる。
【図面の簡単な説明】
【００１３】
【図１Ａ】実施例１における電源アダプタ装置の構造模式図
【図１Ｂ】実施例１における電源アダプタ装置の、外部電源投入時の構造模式図
【図１Ｃ】実施例１における電源アダプタ装置の実物の模式図
【図１Ｄ】実施例１における電源アダプタ装置が直流アダプタに物理的に接続された時の実物の模式図
【図１Ｅ】実施例１における別の電源アダプタ装置が直流アダプタに物理的に接続された時の実物の模式図
【図２】実施例２における電源アダプタ装置の制御方法のフローチャート
【図３】実施例３における電源アダプタ装置の制御方法のフローチャート
【図４】実施例４における電源アダプタ装置の制御方法のフローチャート
【図５】実施例５における電源アダプタ装置の制御装置の構造図
【図６】実施例６における制御デバイスのハードウェアの構造模式図
【発明を実施するための形態】
【００１４】
以下、本開示について、図面および実施例を参照しながら説明する。
【００１５】
実施例１
図１Ａは、本実施例に係る電源アダプタ装置の構造模式図であり、本実施例は、複数種のインターフェースの電源アダプタおよびワイヤに適用され、ＴＹＰＥ−Ｃインターフェースの電子機器に電気的に接続されて充電を行うことができる。図１Ａに示すように、電源アダプタ装置１０は、電源入力インターフェース１１と、通信プロトコルチップ１２と、電圧変換チップ１３と、電源出力インターフェース１４とを備える。
【００１６】
前記通信プロトコルチップ１２の第１検出端が前記電源入力インターフェース１１に接続され、前記通信プロトコルチップ１２の第２検出端が前記電源出力インターフェース１４に接続され、前記通信プロトコルチップ１２の制御端が前記電圧変換チップ１３に接続される。
【００１７】
前記電圧変換チップ１３の入力端が前記電源入力インターフェース１１に接続され、前記電圧変換チップ１３の出力端が前記電源出力インターフェース１４に接続される。
【００１８】
電源アダプタ装置１０は、元々電子機器に合致しない直流アダプタでも順調に充電できるように、直流アダプタと電子機器との間に接続されるデバイスである。ここで、直流アダプタは、小型携帯電子機器および電子電気機器の供電源変換装置であり、電源から提供された交流電力を電子機器に適用する直流電力に変換し、例えば、携帯電話等のモバイル機器の充電用ヘッド、またはノートパソコンにおけるアダプタ等である。一般的には、ユーザが購入した電子機器には、いずれも直流アダプタが設けられているが、電子製品の種類毎にアダプタが異なる場合が多く、ユーザは、外出するまたは長期間にわたって旅行する時に、持つ必要がある直流アダプタが多く、煩雑となる。
【００１９】
直流アダプタが全ての電子機器に合致することができないのは２つの制限要因がある。その１は、直流アダプタのインターフェースと電子機器のインターフェースとの種類が統一されず、正常に物理的に接続できないことである。その２は、電子機器の種類毎に給電パラメータが異なり、直流アダプタのインターフェースと電子機器のインターフェースとが物理的に接続できても、正常に充電できず、充電時間が長くなる可能性があり、更に、給電電流が大きすぎて電源を破壊したり電線を焼損したりするという重大な弊害が生じる恐れがあることである。例えば、タブレットコンピュータの給電パラメータが５Ｖ、３Ａであれば、携帯電話用の３Ｖ、２．５Ａの直流アダプタで充電することはできない。
【００２０】
電源入力インターフェース１１は、直流アダプタに電気的に接続されるインターフェースであり、直流アダプタから伝送された入力電圧を受信することに用いられる。電源入力インターフェース１１と直流アダプタとの物理的な接続の形態は２種類がある。直流アダプタにおけるアダプタヘッド（充電用ヘッド）とアダプタケーブル（ワイヤ）とが一体化された場合、電源入力インターフェース１１とアダプタケーブルとを物理的に接続することができ、すなわち、電源出力インターフェース１４が電子機器に直接物理的に接続する形態がある。直流アダプタにおけるアダプタヘッドとアダプタケーブルとが別体である場合、電源入力インターフェース１１とアダプタヘッドとを物理的に接続する、または電源入力インターフェース１１とアダプタケーブルとを物理的に接続することができる形態もある。また、電源入力インターフェース１１のインターフェースのタイプは、ＵＳＢのＡインターフェースまたはＵＳＢのＢインターフェースであってもよい。
【００２１】
本実施例において、通信プロトコルチップ１２は、双方が通信またはサービスを行うための準拠する規則および約束に基づき、回路における入力電圧をターゲット電圧に変換する行為に対して制御信号を発するチップである。例えば、ＵＳＢのＰＤプロトコルを含む通信プロトコルチップであり、すなわち、ＴＹＰＥ−Ｃポートの後に提出された電力伝送の概念に基づき、電子機器との双方向通信の機能を実現することができる。更に、通信プロトコルチップ１２は、「給電電圧および給電電流」に関する複数段のキー値を１つの所定の関係テーブルに記憶することができる。
【００２２】
電圧変換チップ１３は、入力された電圧をターゲット電圧に変換する。本実施例において、ターゲット電圧は、一般的に電子機器が要求する電圧であり、入力された電圧をターゲット電圧に変換することにより、電圧変換チップ１３から出力された電圧が電子機器に合致し、電子機器に対する充電を行うことができる。電源出力インターフェース１４は、電子機器に電気的に接続されるインターフェースであり、電子機器にターゲット電圧を出力することに用いられる。同様に、電源出力インターフェース１４と電子機器との物理的な接続の形態は２種類がある。直流アダプタにおけるアダプタヘッド（充電用ヘッド）とアダプタケーブル（ワイヤ）とが一体化された場合、電源出力インターフェース１４と電子機器とを直接物理的に接続することができる形態がある。直流アダプタにおけるアダプタヘッドとアダプタケーブルとが別体である場合、電源出力インターフェース１４とアダプタケーブルとを物理的に接続する、または電源出力インターフェース１４と電子機器とを物理的に接続することができる形態もある。
【００２３】
図１Ａに示すように、電源アダプタ装置１０において、通信プロトコルチップ１２の第１検出端が電源入力インターフェース１１に接続され、通信プロトコルチップ１２の第２検出端が電源出力インターフェース１４に接続され、通信プロトコルチップ１２の制御端が電圧変換チップ１３に接続され、電圧変換チップ１３の入力端が電源入力インターフェース１１に接続され、電圧変換チップ１３の出力端が電源出力インターフェース１４に接続される。
【００２４】
例示的には、本実施例に係る電源アダプタ装置は、入力端が外部電源に接続され、出力端が前記電源入力インターフェースに接続される直流アダプタを更に備える。
【００２５】
図１Ｂに示すように、ここで、電子機器に対する給電を実現するために、直流アダプタ２０の入力端が外部電源２１に接続され、直流アダプタ２０の出力端が電源アダプタ装置１０の電源入力インターフェース１１に直接に接続される。
【００２６】
例示的には、前記電源入力インターフェース１１および前記電源出力インターフェース１４のうちの少なくとも１つは、オスインターフェースまたはメスインターフェースのいずれかである。
【００２７】
電源アダプタ装置１０が直流アダプタと電子機器との間の１つの接続デバイスであるため、電源アダプタ装置１０における電源入力インターフェース１１および電源出力インターフェース１４のインターフェースのタイプは、電源アダプタの物理的な接続位置に関連する。電源アダプタ装置１０が直流アダプタにおけるアダプタヘッドに物理的に接続された場合、電源入力インターフェース１１はオスインターフェースであってもよく、電源出力インターフェース１４はメスインターフェースであってもよい。電源アダプタ装置１０が直流アダプタにおけるアダプタケーブルに物理的に接続された場合、電源入力インターフェース１１はオスインターフェースであってもよく、電源出力インターフェース１４はメスインターフェースであってもよい。
【００２８】
例示的には、前記電源出力インターフェース１４はＵＳＢのＴＹＰＥ−Ｃインターフェースである。
【００２９】
将来の電子機器インターフェースが、ＴＹＰＥ−Ｃインターフェースに統一して使用するという発展傾向にあるが、転換がまだ成功していないしばらくの間に、従来の直流アダプタが市場から完全に退出することがなく、直流アダプタ２０の使用が混乱している現象になってしまう。そのため、好ましくは、電源出力インターフェース１４は、ＵＳＢのＴＹＰＥ−Ｃオスインターフェースとして設置される。電源アダプタ装置１０は、電源アダプタ装置１０のＴＹＰＥ−Ｃオスインターフェースが電子機器のＴＹＰＥ−Ｃメスインターフェースに対応できるように、直流アダプタ２０におけるアダプタケーブルに物理的に接続され、すなわち、電子機器に直接に接続されるように構成される。
【００３０】
例示的には、図１Ｃは、電源アダプタ装置１０の実物の模式図であり、符号１５は、常用のＵＳＢのＡ型電源入力インターフェースであり、符号１６はＰＤ通信プロトコルチップであり、符号１７は電圧変換チップであり、符号１８はＴＹＰＥ−Ｃ電源出力インターフェースである。
【００３１】
例示的には、図１Ｄは、電源アダプタ装置１０が直流アダプタ２０に物理的に接続された時の実物の模式図であり、符号１５１は任意の非ＴＹＰＥ−Ｃ型のメス電源入力インターフェースであり、符号２０１は直流アダプタ２０のアダプタヘッドであり、符号２０２は直流アダプタ２０のアダプタケーブルである。ここで、直流アダプタ２０は一体構造であり、すなわち、アダプタヘッド２０１とアダプタケーブル２０２とを分離することができず、且つ、アダプタケーブル２０１のインターフェースは非ＴＹＰＥ−Ｃ型の任意のオスインターフェースである。アダプタケーブル２０１に電源が投入されると、電源アダプタ装置１０の電源入力インターフェース１５１は直流アダプタ２０から伝送された電圧を受信し、電圧変換チップ１７に伝送し、電圧変換チップ１７は、通信プロトコルチップ１６の要求に基づいて受信された電源電圧を電子機器に最適な適用電圧に変換し、電源出力インターフェース１８を介して電子機器に伝送する。図１Ｄにおける電源アダプタ装置１０を採用することにより、任意の非ＴＹＰＥ−Ｃ型のオスインターフェースの直流アダプタ２０はＴＹＰＥ−Ｃ型のメスインターフェースの電子機器に充電することができる。
【００３２】
例示的には、図１Ｅは、電源アダプタ装置１０が直流アダプタに物理的に接続された別の実物の模式図であり、符号１５２はＵＳＢのＡ型オス電源入力インターフェースであり、符号１８１はＵＳＢのＡ型メス電源出力インターフェースであり、符号２０３はＵＳＢのＡ型メスインターフェースを含むアダプタヘッドであり、符号２０４はＵＳＢのＡ型オスインターフェースを含むアダプタケーブルである。ここで、直流アダプタは分離式構造であり、すなわち、アダプタヘッド２０３とアダプタケーブル２０４とを分離することができる。図１Ｅにおける電源アダプタ装置１０を採用し、アダプタヘッド２０３とアダプタケーブル２０４との間に電源アダプタ１０を配置することにより、直流アダプタは、より多くの、同種のインターフェースかつ異なる給電パラメータの電子機器に充電することができる。
【００３３】
上記電源アダプタ装置の電源入力インターフェースおよび電源出力インターフェースのタイプは、本実施例に係るインターフェースを含むだけでなく、他のタイプのインターフェースも同様に適用される。
【００３４】
本実施例は電源アダプタ装置を提供し、電源入力インターフェース、通信プロトコルチップ、電圧変換チップ、および電源出力インターフェースに基づき、電源アダプタが該電源アダプタに合致しない複数種の電子機器に給電する可能性を実現し、関連技術における直流アダプタ（直流電源アダプタ）がＴＹＰＥ−Ｃ型のＵＳＢインターフェースの電子機器に適用ができないことによるソースの浪費の問題を解決し、ユーザは、外出する際に同一の直流アダプタを持てば、複数種の電子機器の充電タスクをこなすことができ、直流アダプタの利用率を向上させる。
【００３５】
実施例２
図２は、本実施例に係る電源アダプタ装置の制御方法のフローチャートであり、本実施例は、電源アダプタ装置を制御する場合に適用でき、該方法は、本実施例に係る電源アダプタ装置の制御装置によって実行でき、該装置は、ソフトウェアおよび／またはハードウェアの形態で実現でき、該装置は、電源アダプタ装置の制御機能を提供するデバイスに集積できる。図２に示すように、本実施例に係る電源アダプタ装置の制御方法は、以下のステップを含んでもよい。
【００３６】
ステップ２１０において、通信プロトコルチップが第１検出端により入力電圧値を取得する。
【００３７】
好ましくは、電源アダプタ装置は、電源入力インターフェースと、通信プロトコルチップと、電圧変換チップと、電源出力インターフェースとを備える。通信プロトコルチップは、第１検出端と、第２検出端と、制御端とを備え、ここで、第１検出端が電源アダプタ装置における電源入力インターフェースに電気的に接続され、第２検出端が電源出力インターフェースに電気的に接続され、制御端が電圧変換チップに接続される。
【００３８】
通信プロトコルチップは、第１検出端により、電源入力インターフェースから入力電圧値を取得し、該電圧値は、電源アダプタ装置に電気的に接続された直流アダプタから供給される。直流アダプタが外部電源の交流電力を直流電力に変換する機能を有するため、通信プロトコルチップが第１検出端において取得した入力電圧は直流電圧値である。
【００３９】
ステップ２２０において、前記通信プロトコルチップが第２検出端によりターゲット電圧値を取得する。
【００４０】
好ましくは、通信プロトコルチップの第２検出端が電源アダプタ装置における電源出力インターフェースに電気的に接続される。ここで、電源出力インターフェースが電子機器に電気的に接続される。通信プロトコルチップが、電子機器と双方向通信する機能を有するため、電子機器が電源アダプタ装置を介して外部電源に接続された場合、電子機器は、給電の要求を満たすために、自体に最適な給電パラメータ（ターゲット電圧値および／またはターゲット電流値）を通信プロトコルチップに提供することができる。
【００４１】
ステップ２３０において、前記通信プロトコルチップが、前記ターゲット電圧値および前記入力電圧値に基づいて電圧調整情報を確定する。
【００４２】
好ましくは、各電子機器のターゲット電圧値が異なり、直流アダプタの給電電圧が接続された電子機器に合致するか否かを確定することができないため、通信プロトコルチップは、電子機器が要求するターゲット電圧値および電源入力インターフェースにより取得された入力電圧値に基づき、電圧調整情報を取得する。電子機器が要求するターゲット電圧値が、電源入力インターフェースにより取得された入力電圧値に等しい場合、通信プロトコルチップが最終的に確定した電圧調整情報は、入力電圧値を処理しないことである。電子機器が要求するターゲット電圧値が、電源入力インターフェースにより取得された入力電圧値に等しくない場合、通信プロトコルチップは、入力電圧を電子機器が要求するターゲット電圧に変換できる電圧調整情報を確定する。ここで、電圧調整情報は、電圧変換チップが識別可能な信号であり、電圧変換チップ調節回路のために設定されたパラメータである。
【００４３】
例えば、通信プロトコルチップの第１検出端が電源入力インターフェースにより取得した入力電圧値が７Ｖであり、第２検出端が電源出力インターフェースにより取得したターゲット電圧値が５Ｖであると仮定すると、電子機器が要求するターゲット電圧値が電源入力インターフェースの入力電圧値に等しくないため、通信プロトコルチップは、７Ｖの電圧値をどのように５Ｖの電圧値に変換するかという電圧調整情報を確定し、電圧変換チップの電圧を変換する制御信号として該電圧調整情報を電圧変換チップに送信する。
【００４４】
ステップ２４０において、電圧変換チップは、電源出力インターフェースの電圧値が前記ターゲット電圧値に一致するように、前記電圧調整情報に基づいて電圧変換を行う。
【００４５】
電圧変換チップは、通信プロトコルチップから送信された電圧調整情報を受信すると、電圧調整情報に基づいて電源入力インターフェースの入力電圧値を電子機器が要求するターゲット電圧値に変換することにより、電源アダプタ装置における電源出力インターフェースの電圧値を電子機器が要求するターゲット電圧値に一致させる。電圧変換チップは、変換後のターゲット電圧を電源アダプタ装置における電源出力インターフェースに伝送し、電源出力インターフェースを介して電子機器に供給する。
【００４６】
例えば、電圧変換チップは、上記７Ｖの電圧値を５Ｖの電圧値に変換する電圧調整情報を受信すると、電源入力インターフェースの入力電圧値７Ｖを電子機器が要求するターゲット電圧値５Ｖに変換する。
【００４７】
例示的には、前記電圧変換チップが前記電圧調整情報に基づいて電圧変換を行うことは、前記電圧変換チップが前記電圧変換チップの内部回路の抵抗値を調整すること、または、所定の通信プロトコルにより、前記電圧変換チップの内部回路を調整することを含む。
【００４８】
好ましくは、電圧変換チップは、電源入力インターフェースの入力電圧値を電子機器が要求するターゲット電圧値に変換するように、内部回路の抵抗値の大きさを調整することができる。電圧変換チップは、所定の通信プロトコルにより電圧変換チップの内部回路を調整してもよい。ここで、所定の通信プロトコルは、事前に設定された、電圧変換チップの内部回路を調整するための１つのプロトコルであり、該通信プロトコルにより電子機器のターゲット電圧を取得し、例えば、集積回路バス（Ｉｎｔｅｒ−Ｉｎｔｅｇｒａｔｅｄ  Ｃｉｒｃｕｉｔ、ＩＩＣ）通信プロトコルである。
【００４９】
本実施例に係る電源アダプタ装置の制御方法において、通信プロトコルチップが検出されたターゲット電圧値および入力電圧値に基づいて電圧調整情報を確定し、電圧変換チップが電圧調整情報に基づいて電圧変換を行うことにより、電源出力インターフェースの電圧値をターゲット電圧値に合致させ、電源アダプタが該電源アダプタに合致しない複数種の電子機器に給電する可能性を実現し、直流アダプタの利用率は最大化される。
【００５０】
実施例３
図３は、本実施例に係る電源アダプタ装置の制御方法のフローチャートであり、本実施例は、上記実施例の基に、前記通信プロトコルチップが第２検出端によりターゲット電圧値を取得することは、前記通信プロトコルチップが、第２検出端において、ターゲットデバイスが要求するターゲット電圧値をＰＤプロトコルによって取得することを含む。
【００５１】
図３に示すように、本実施例の方法は、以下のステップを含んでもよい。
【００５２】
ステップ３１０において、通信プロトコルチップが第１検出端により入力電圧値を取得する。
【００５３】
ステップ３２０において、前記通信プロトコルチップが、第２検出端において、ターゲットデバイスが要求するターゲット電圧値をＰＤプロトコルによって取得する。
【００５４】
ここで、ターゲットデバイスは、電源アダプタ装置に電気的に接続された電子機器である。ＰＤプロトコルは、ＴＹＰＥ−Ｃポートの後に提出された電力伝送の概念であり、電子機器との双方向通信の機能を実現することができる。通信プロトコルチップの第２検出端が電源出力インターフェースに接続され、また、電源出力インターフェースがターゲットデバイスに接続されるため、通信プロトコルチップの第２検出端が電源出力インターフェースに接続されると、ターゲットデバイスが要求するターゲット電圧値を取得することができる。
【００５５】
例示的には、ＰＤプロトコルにより、ターゲットデバイスが要求するターゲット電圧値を取得した後、前記ターゲットデバイスが要求するターゲット電流値を取得することと、所定の関係テーブルに基づき、前記ターゲット電圧値に対応する第１電流値を取得することと、前記ターゲット電流値が前記第１電流値よりも大きければ、前記第１電流値を、前記ターゲットデバイスが要求する電流値とすることとを更に含む。
【００５６】
ここで、ターゲット電流値はターゲットデバイスの定格電流値であり、所定の関係テーブルは、ＰＤプロトコルチップのソース機能パッケージ（Ｓｏｕｒｃｅ  ｃａｐａｂｉｌｉｔｙ  ｐａｃｋａｇｅ）に記憶された参照値である。一般的には、ＰＤプロトコルチップにおける所定の関係テーブルは、７段の電圧値と電流値とのキー値ペアを含むことができ、且つ、各段の電圧値は電流値と１対１で対応する。所定の関係テーブルに含まれる７段の電圧値と電流値は、既に現在の複数種の小型モバイル電子機器の要求、つまり、ターゲットデバイスが要求するターゲット電圧値を十分に満足し、ＰＤプロトコルチップは、第１検出端において取得した入力電圧値をターゲットデバイスの必要なターゲット電圧値に変換するにように、電圧変換チップを制御することができる。しかし、ターゲット電流値は、ターゲット電圧値のように変換すれば容易に解決できるものではない。
【００５７】
直流アダプタおよび電圧変換チップ自体が定格電流を有するため、過電流値が定格電流値よりも大きくなると、デバイスを焼損するため、ターゲットデバイスが要求するターゲット電流値は、直流アダプタおよび電圧変換チップ自体の定格電流値よりも小さい必要がある。
【００５８】
好ましくは、通信ＰＤプロトコルチップは、ターゲットデバイスが要求するターゲット電圧値およびターゲット電流値を取得した後、所定の関係テーブルにおいて要求されるターゲット電圧値と同じ電圧を照合し、当該電圧に対応する第１電流値を取得する。ターゲット電流値と第１電流値とを比較し、ターゲット電流値が第１電流値よりも大きい場合、第１電流値をターゲットデバイスが要求する電流としてターゲットデバイスに送信する（すなわち、ターゲットデバイスが要求するターゲット電流値を更新する）。
【００５９】
ステップ３３０において、前記通信プロトコルチップが、前記ターゲット電圧値および前記入力電圧値に基づいて電圧調整情報を確定する。
【００６０】
ステップ３４０において、電圧変換チップは、電源出力インターフェースの電圧値が前記ターゲット電圧値に一致するように、前記電圧調整情報に基づいて電圧変換を行う。
【００６１】
本実施例に係る方法は、ターゲットデバイスが要求するターゲット電流値が直流アダプタの定格電流よりも小さいが、ＰＤプロトコルチップにおけるターゲット電圧値に対応する第１電流値よりも大きい場合に適用される。
【００６２】
本実施例は、ＰＤプロトコルチップにより、ターゲットデバイスが要求するターゲット電圧値およびターゲット電流値を取得し、ＰＤプロトコルチップに記憶されたターゲット電圧値に対応する第１電流値とターゲット電流値とを比較することにより、ターゲットデバイスの最終電圧値および電流値を取得し、ターゲットデバイスに充電を行いながら、電流の過大によるデバイスの焼損を回避する。
【００６３】
実施例４
図４は、本実施例に係る電源アダプタ装置の制御方法のフローチャートであり、本実施例は、上記実施例の基に、前記通信プロトコルチップが、前記第２検出端によりターゲットデバイスの接続状態を検出することと、前記第２検出端によりターゲットデバイスの接続の存在が検出されると、前記電源出力インターフェースのリアルタイム出力電圧値を監視することと、前記リアルタイム出力電圧値の電圧降下と前記ターゲット出力電圧値との比が所定の比の閾値を超える場合、現在の出力電流値を取得して電源線をオフにすることと、前記現在の出力電流値と前記リアルタイム出力電圧値とのキー値ペアを記憶することと、前記キー値ペアを前記ターゲットデバイスに送信して前記電源線をオンにすることとを更に含む。
【００６４】
図４に示すように、本実施例の方法は、以下のステップを含んでもよい。
【００６５】
ステップ４１０において、通信プロトコルチップが第１検出端により入力電圧値を取得する。
【００６６】
ステップ４２０において、前記通信プロトコルチップが、第２検出端において、ターゲットデバイスが要求するターゲット電圧値をＰＤプロトコルによって取得する。
【００６７】
ステップ４３０において、前記通信プロトコルチップが、前記ターゲット電圧値および前記入力電圧値に基づいて電圧調整情報を確定する。
【００６８】
ステップ４４０において、電圧変換チップが、電源出力インターフェースの電圧値が前記ターゲット電圧値に一致するように、前記電圧調整情報に基づいて電圧変換を行う。
【００６９】
ステップ４５０において、前記通信プロトコルチップが、前記第２検出端によりターゲットデバイスの接続状態を検出する。
【００７０】
好ましくは、通信プロトコルチップの第２検出端が電源出力インターフェースに接続されたため、ターゲットデバイスの接続状態を検出することができる。電源アダプタ装置が直流アダプタに接続され、且つ、外部電源が投入され、ターゲットデバイスに接続されていない場合、通信プロトコルチップの第２検出端により検出された電圧は一定値であり、電圧値は変化しない。ターゲットデバイスに接続された場合、監視された電圧値は変化する。
【００７１】
ステップ４６０において、前記第２検出端によりターゲットデバイスの接続の存在が検出されると、前記電源出力インターフェースのリアルタイム出力電圧値を監視する。
【００７２】
通信プロトコルチップの第２検出端は電源出力インターフェースを持続的に監視し、取得された電圧値が変化すると、第２検出端がターゲットデバイスの接続の存在を検出したことは確認され、且つ、電源出力インターフェースのリアルタイム出力電圧値を取得することができる。
【００７３】
または、通信プロトコルチップの第２検出端は電源出力インターフェースのリアルタイム出力電圧値を持続的に監視するが、ターゲットデバイスが存在するか否かを判断しない。
【００７４】
ステップ４７０において、前記リアルタイム出力電圧値の電圧降下と前記ターゲット出力電圧値との比が所定の比の閾値を超える場合、現在の出力電流値を取得して電源線をオフにする。
【００７５】
ここで、所定の比の閾値は、経験的に設定された１つの動的値であり、一般的には２０％に設定され、すなわち、リアルタイム出力電圧値の電圧降下とターゲット出力電圧値との比が２０％を超える場合、現在の出力電流値を取得して電源線をオフにする。
【００７６】
好ましくは、通信プロトコルチップは、ターゲットデバイスが要求するターゲット電圧値を取得し、所定の関係テーブルに記憶された電圧と照合し、電圧変換チップを制御して入力電圧値を調整することにより、出力ターゲットデバイスが要求するターゲット電圧値を供給する。電圧変換チップは、変換が成功したターゲット電圧値を電源出力インターフェースに出力し、該ターゲットデバイスのターゲット出力電圧値とする。しかし、ターゲットデバイスが要求する電流値が直流アダプタの定格電流を越えるため、通信プロトコルチップの第２検出端により取得されたリアルタイム出力電圧値は下がり続ける。リアルタイム出力電圧の電圧降下とターゲット出力電圧との比が所定の比の閾値を超える場合、直流アダプタを焼損することを防止するために、この時、電源線（ＶＢＵＳ）をオフにして回路を保護し、現在の出力電流値を取得する。
【００７７】
ステップ４８０において、前記現在の出力電流値を前記所定の関係テーブルに記憶し、前記ターゲット出力電圧値と新しいキー値ペアを形成する。
【００７８】
好ましくは、リアルタイム出力電圧値の低下に伴い、現在の出力電流値を大きくする。実際の操作において、リアルタイム出力電圧値の電圧降下とターゲット出力電圧値との比が２０％を超えた場合の現在の出力電流値を、直流アダプタが耐えられる最大電流値とする。そのため、現在の出力電流値を所定の関係テーブルに記憶し、該電圧の段に合致させ、ターゲット出力電圧（ターゲット電圧）と新しいキー値ペアを形成する。
【００７９】
ＰＤ通信プロトコルチップにおける所定の関係テーブルに７段の電圧値と電流値とのキー値ペアが記憶されたため、現在の出力電流値を所定の関係テーブルに記憶するという過程は、既存の所定の関係テーブルにおける該当する電圧段に対応する既存の電流値を更新することと同等である。
【００８０】
ステップ４９０において、前記キー値ペアを前記ターゲットデバイスに送信して前記電源線をオンにする。
【００８１】
好ましくは、通信プロトコルチップは、更新後のキー値ペアをターゲットデバイスに送信することにより、ターゲットデバイスは、更新後のキー値ペアを新しい給電パラメータとして要求する。また、給電するために電源線をオンにする。
【００８２】
本実施例に係る方法は、ターゲットデバイスが要求するターゲット電流値がＰＤプロトコルチップにおけるターゲット電圧値に対応する第１電流値よりも小さいが、直流アダプタの定格電流よりも大きい場合に適用される。
【００８３】
好ましくは、ターゲットデバイスの要求するターゲット電流値が、ＰＤプロトコルチップにおけるターゲット電圧値に対応する第１電流値よりも大きく、且つ、直流アダプタの定格電流よりも大きい場合、小さい電流値を取得して場合によって処理すべきである。
【００８４】
本実施例に係る電源アダプタ装置の制御方法において、通信プロトコルチップの第２検出端により監視されたリアルタイム出力電圧値の電圧降下とターゲット出力電圧値との比が所定の比の閾値を超える場合、現在の出力電流値を取得して新しい所定の関係テーブルにおけうターゲット電圧に対応する電流値とし、ターゲットデバイスが要求する新しい給電パラメータとすることにより、従来の電源アダプタは、ＵＳＢのＰＤ通信プロトコルに基づくＴＹＰＥ−Ｃ型のＵＳＢインターフェースの複数種の電子機器に適用され、電源アダプタの利用率を向上させることができる。
【００８５】
実施例５
図５は、本実施例に係る電源アダプタ装置の制御装置の構造模式図であり、本実施例は、複数種の電源アダプタ装置の制御の場合に適用でき、該装置は、ソフトウェアおよび／またはハードウェアの形態で実現でき、該装置は、電源アダプタ装置の制御機能を提供可能なデバイスに集積できる。図５に示すように、入力電圧取得モジュール５１と、ターゲット電圧取得モジュール５２と、電圧調整情報確定モジュール５３と、電圧調整情報送信モジュール５４とを備える。
【００８６】
入力電圧取得モジュール５１は、第１検出端により入力電圧を取得するように構成される。
【００８７】
ターゲット電圧取得モジュール５２は、第２検出端によりターゲット電圧を取得するように構成される。
【００８８】
電圧調整情報確定モジュール５３は、前記ターゲット電圧取得モジュールにより取得された前記ターゲット電圧、および前記入力電圧取得モジュールにより取得された前記入力電圧に基づき、電圧調整情報を確定するように構成される。
【００８９】
電圧調整情報送信モジュール５４は、前記電源出力インターフェースの電圧が前記ターゲット電圧に一致するように前記電圧変換チップが前記電圧調整情報に基づいて電圧変換を行うために、前記電圧調整情報を電圧変換チップに送信するように構成される。
【００９０】
上記実施例の基に、前記ターゲット電圧取得モジュール５２は、前記通信プロトコルチップが、第２検出端において、ターゲットデバイスが要求するターゲット電圧値をＰＤプロトコルによって取得するように構成される。
【００９１】
上記実施例の基に、第１電流確定モジュール５５を更に備える。
【００９２】
第１電流確定モジュール５５は、ＰＤプロトコルにより、ターゲットデバイスが要求するターゲット電圧値を取得した後、前記ターゲットデバイスが要求するターゲット電流値を取得し、所定の関係テーブルに基づき、前記ターゲット電圧値に対応する第１電流値を取得し、前記ターゲット電流値が前記第１電流値よりも大きければ、前記第１電流値を、前記ターゲットデバイスが要求する電流値とするように構成される。
【００９３】
上記実施例の基に、第２電流確定モジュール５６を更に備える。
【００９４】
第２電流確定モジュール５６は、前記通信プロトコルチップが、前記第２検出端によりターゲットデバイスの接続状態を検出し、前記第２検出端によりターゲットデバイスの接続の存在が検出されると、前記電源出力インターフェースのリアルタイム出力電圧値を監視し、前記リアルタイム出力電圧値の電圧降下と前記ターゲット出力電圧値との比が所定の比の閾値を超える場合、現在の出力電流値を取得して電源線をオフにし、前記現在の出力電流値を前記所定の関係テーブルに記憶し、前記ターゲット出力電圧値と新しいキー値ペアを形成し、前記キー値ペアを前記ターゲットデバイスに送信して前記電源線をオンにするように構成される。ここで、現在の出力電流値とは第２電流値である。
【００９５】
上記実施例の基に、前記電圧調整情報送信モジュール５４は、前記電圧変換チップが前記電圧変換チップの内部回路の抵抗値を調整し、または、所定の通信プロトコルにより、前記電圧変換チップの内部回路を調整するように構成される。
【００９６】
本実施例に係る電源アダプタ装置の制御装置は、通信プロトコルチップにより、検出されたターゲット電圧値および入力電圧値に基づき、電圧調整情報を確定し、電圧変換チップは、電圧調整情報に基づいて電圧変換を行うことにより、電源出力インターフェースの電圧値をターゲット電圧値に合致させ、電源アダプタが該電源アダプタに合致しない複数種の電子機器に給電する可能性を実現し、直流アダプタの利用率は最大化される。
【００９７】
実施例６
本実施例は、上記方法を実行するためのコンピュータ実行可能命令が記憶されるコンピュータ可読記憶媒体を提供する。
【００９８】
図６は、本実施例に係る制御デバイスのハードウェアの構造模式図であり、図６に示すように、該制御デバイスは、１つまたは複数のプロセッサ６１０と、メモリ６２０と、通信プロトコルチップ６３０と、電圧変換チップ６４０とを備える。図６において、１つのプロセッサ６１０を例とする。
【００９９】
前記制御デバイスは、入力装置６５０および出力装置６６０を更に備えてもよい。
【０１００】
前記制御デバイスにおけるプロセッサ６１０、メモリ６２０、通信プロトコルチップ６３０、電圧変換チップ６４０、入力装置６５０、および出力装置６６０は、バスまたは他の方式により接続することができ、図６において、バスにより接続されるものを例とする。
【０１０１】
メモリ６２０はコンピュータ可読記憶媒体として、ソフトウェアプログラム、コンピュータ実行可能プログラムおよびモジュールを記憶するために使用できる。プロセッサ６１０は、メモリ６２０に記憶されたソフトウェアプログラム、命令およびモジュールを運行することにより、複数種の機能アプリケーションおよびデータ処理を実行し、上記実施例におけるいずれか１種の電源アダプタ装置の制御方法を実現する。
【０１０２】
メモリ６２０は、プログラム記憶エリアおよびデータ記憶エリアを含むことができ、ここで、プログラム記憶エリアは、オペレーティングシステム、少なくとも１つの機能に必要なアプリケーションを記憶することができる。データ記憶エリアは、制御デバイスの使用に応じて作成されたデータ等を記憶することができる。また、メモリは、ランダムアクセスメモリ（Ｒａｎｄｏｍ  Ａｃｃｅｓｓ  Ｍｅｍｏｒｙ、  ＲＡＭ）等の揮発性メモリを含んでもよく、少なくとも１つの磁気ディスク記憶装置、フラッシュメモリ装置または他の非一時的固体記憶装置のような不揮発性メモリを含んでもよい。
【０１０３】
メモリ６２０は、非一時的コンピュータ記憶媒体または一時的コンピュータ記憶媒体であってもよい。該非一時的コンピュータ記憶媒体は、例えば、少なくとも１つの磁気ディスク記憶装置、フラッシュメモリ装置、または他の不揮発性固体記憶装置である。一部の実施例において、メモリ６２０は、プロセッサ６１０に対してリモートに設けられたメモリを含むことが好ましく、これらのリモートメモリは、ネットワークを介して制御デバイスに接続することができる。上記ネットワークの実施例は、インターネット、イントラネット、ローカルエリアネットワーク、移動体通信ネットワーク、およびこれらの組み合わせを含んでもよい。
【０１０４】
通信プロトコルチップ６３０は、入力電圧値およびターゲット電圧値を取得し、前記ターゲット電圧値および前記入力電圧値に基づいて電圧調整情報を確定することに用いられ、電圧変換チップ６４０は、電源出力インターフェースの電圧値が前記ターゲット電圧値に一致するように、前記電圧調整情報に基づいて電圧変換を行うことに用いられる。
【０１０５】
入力装置６５０は、入力された数字または文字情報を受信し、制御デバイスのユーザ設置および機能制御に関するキー信号入力を生成するために使用することができる。出力装置６６０はディスプレイ等の表示装置を備えてもよい。
【０１０６】
上記実施例の方法における全てまたは一部のフローを実現するために、コンピュータプログラムにより関連するハードウェアを実行して達成することができ、該プログラムは１つの非一時的コンピュータ可読記憶媒体に記憶されてもよく、該プログラムを実行する時、上記方法の実施例のようなフローを含んでもよく、ここで、該非一時的コンピュータ可読記憶媒体は、磁気ディスク、光ディスク、読み出し専用記憶（ＲＯＭ）、またはランダムアクセスメモリ（ＲＡＭ）等であってもよい。
【産業上の利用可能性】
【０１０７】
本実施例に係る電源アダプタ装置、制御方法および制御装置は、電源入力インターフェース、通信プロトコルチップ、電圧変換チップ、および電源出力インターフェースに基づき、電源アダプタが該電源アダプタに合致しない複数種の電子機器に給電する可能性を実現し、関連技術における電源アダプタがＴＹＰＥ−Ｃ型のＵＳＢインターフェースの電子機器に適用ができないことによるソースの浪費の問題を解決し、ユーザは、外出する際に同一の従来の直流アダプタを持てば、複数種の電子機器の充電タスクをこなすことができ、従来の直流アダプタの利用率を向上させる。
【図１Ａ】
0006929581.tif 000002
【図１Ｂ】
0006929581.tif 000003
【図１Ｃ】
0006929581.tif 000004
【図１Ｄ】
0006929581.tif 000005
【図１Ｅ】
0006929581.tif 000006
【図２】
0006929581.tif 000007
【図３】
0006929581.tif 000008
【図４】
0006929581.tif 000009
【図５】
0006929581.tif 000010
【図６】
0006929581.tif 000011